(57)【要約】      （修正有）【課題】安価なシンプルな構成で余計な作業をすることなく、しかも汚損や破損を皆無にして、ワンタッチで普通郵送用の封筒に或いは返信用封筒に変身させて多数回再利用できることを可能にしたリサイクル封筒を提供する。【解決手段】封筒１００の表面１０１に受取人ラベル貼付部１０３と封筒１００の表面１０１又は裏面に差出人ラベル貼付部１０４を設け、これら受取人ラベル貼付部１０３及び差出人ラベル貼付部１０４は、受取人用のラベル１０５と差出人用のラベル１０６を貼り付ける剥離面部２０１、２０２にし、各ラベル１０５、１０６は、表面に当該人又は名称の郵便番号、住所、氏名又は名称を記載し、裏面には複数回の貼り付け剥離を繰り返し可能な再貼付粘着剤を塗布したラベルであり、剥離面部２０１、２０２は、受取人用のラベル１０５と差出人用のラベル１０６の保護部であり、封筒１００の基部紙に剥離剤のシリコーンをコーティングした面部分又は剥離シリコーンフィルムを貼った面部分である。【選択図】図１
0003227477.tif 000002
【実用新案登録請求の範囲】
【請求項１】
封筒の表面において、左上隅部に料金別納を表示すると共に、封筒の表面に受取人ラベル貼付部と封筒の表面又は裏面に差出人ラベル貼付部を設け、これら受取人ラベル貼付部及び差出人ラベル貼付部は、該受取人用のラベルと差出人用のラベルを再貼付可能な剥離面部にし、前記各ラベルは、表面に当該人又は名称の郵便番号、住所、氏名又は名称を記載し、裏面には複数回の貼り付け剥離を繰り返し可能な再貼付粘着剤を塗布したラベルであることを特徴とするリサイクル封筒。
【請求項２】
前記剥離面部は、前記受取人用のラベルと差出人用のラベルの保護部であり、封筒の基部紙に剥離剤のシリコーンをコーティングした面部分又は剥離シリコーンフィルムを貼った面部分であることを特徴とする請求項１に記載のリサイクル封筒。
【考案の詳細な説明】
【技術分野】
【０００１】  本考案は複数回再利用可能にしたリサイクル封筒に関する。
【背景技術】
【０００２】  従来、封筒は、所定の受取人に書類を郵送すると、特別の再利用法を除いて再利用できないものであった。そのため、返送が必要な書類がある場合には、封筒内に切手を貼り付けた別の封筒を同封していた。【０００３】  しかし、別の封筒を同封するとコスト高になる。特に、デパート、企業、商店などが選定した見込み客にアンケートを郵送する等のダイレクトメールの場合、返送される可能性が低下するため、無駄が多い。
そこで、１つの封筒を再利用して返信にも使用できるようにした封筒が種々提供されている。例えば、実開平６−２７５７６号（特許文献１）では、受取人を記載する正面側の紙を２重（２層）に成形し、受取人が正面側の表紙を１枚切り落とすことにより、新たに受取人を記載する正面側の表紙が現れるようにした封筒が提供されている。
また、登録実用新案公報第３０４０６４３号（特許文献２）では、比較的大きい封筒の内部に、返信様封筒を構成する展開図が記載され、この展開図の外形に沿って切断し、所定位置を糊で接着することにより、返信用封筒を形成できるようにした封筒が提供されている。
さらに、特開平１１−１４７５４０号（特許文献３）では、受取人が封筒を展開し、表裏を逆として貼り合わせることにより、返信用封筒を形成できるようにした封筒が提供されている。【０００４】  しかしながら、前記特許文献１で紹介の封筒では、２重になった正面側の表紙の１枚のみを切断する際に、細心の注意を払わなければ、返信用の表紙も破れ、再利用できない状態になる可能性があるため、不便である。
また、前記特許文献２で紹介の封筒は、受け取った封筒を展開し、展開図の外形に沿って切断および接着をする必要があるため、面倒である。
さらに、特許文献３で紹介の封筒は、特許文献１と同様に、展開する際に破れ、再利用できない状態になる可能性があるため、不便である。そのうえ、表裏を逆として折り、第２従来例と同様に、接着する必要があるため、面倒である。
さらにまた、前記各特許文献で紹介の封筒は、１往復しか使用することができない。【０００５】  そこで複数往復する封筒として特許文献４〜特許文献６が紹介されている。
特許文献４で紹介の封筒は、図３に示すように、１辺を開放した袋体の正面側の表面に受取人表示部４を設けるとともに、正面側または背面側の表面に差出人表示部７を設け、これら表示部４，７を抜差可能で透明な収容部６，１０で構成し、これら収容部６，１０に第１者の住所と名称を記載する第１ラベル１３、または、異なる第２者の住所と名称を記載する第２ラベル１４を収容させ、これら第１ラベル１３と第２ラベル１４を差し替えることにより、受取人と差出人の表示を変更可能とする。この特許文献４で紹介の封筒は、ラベルの差し入れ及び差し替えの煩雑さがある。また透明な収容部６，１０は、郵送中の汚損や破損が著しく、また第１ラベル、第２ラベルの差し入れ及び差し替えによる汚損や破損も甚だしく短命である。【０００６】  特許文献５で紹介の封筒は、図４に示すように、表面に返信宛先情報が記載され、裏面に往信差出元情報が記載され、開口部にフラップが設けられた封筒と、貼り付けおよび剥離を複数回繰り返し可能な再剥離粘着剤を塗布した再剥離性のラベルとからなる。前記ラベルは、往信宛先情報を記載する宛先ラベル片と、往信の支払方法表記用ラベル片と、封筒の開口部を封止する封止用ラベル片とがミシン目を介して連結された連結ラベルである。封止用ラベル片はフラップよりも大きく、宛先ラベル片と料金表示用ラベル片を合わせた面積は封筒表面に記載された返信宛先情報と料金支払方法の表記範囲よりも大きく、該ラベルのうち宛先ラベル片と料金表示用ラベル片とを封筒の表面に貼り付けて返信宛先情報および料金支払方法の表記を隠蔽可能にする。この特許文献５で紹介の封筒は、に貼り付けおよび剥離を複数回繰り返し可能な再剥離粘着剤を塗布した再剥離性のラベルは、往信宛先情報を記載する宛先ラベル片と、往信の支払方法表記用ラベル片と、封筒の開口部を封止する封止用ラベル片とがミシン目を介して連結された連結ラベルであり、返信宛先情報の上に貼り付けて隠蔽する複雑な構成で費用が嵩む。また連結ラベルのためミシン目の分離劣化の問題、更に郵送中や再剥離の繰り返しにより粘着性の早期劣化による汚損や破損が早く短命である。【０００７】  特許文献６で紹介の封筒は、図５に示すように、封筒１に返信先２を印刷し、宛先３を印刷した粘着シール４を、返信先２を隠すように封筒１に貼付する。この封筒に書類を入れて封をし、切手を貼って発送する。これを受け取った人が、粘着シール４を剥がすと、封筒面に返信先２が現われ、そのまま返信封筒になる。この特許文献６で紹介の封筒は、ミシン目の分離劣化の問題、更に宛先３を印刷した粘着シール４を、返信先２を隠すように封筒１に貼付するため、これを繰り返すと粘着性が劣化して郵送中に剥離損失が惹起し郵送不能となり短命である。
【先行技術文献】
【特許文献】
【０００８】
【特許文献１】実開平６−２７５７６号公報
【特許文献２】実用新案登録第３０４０６４３号公報
【特許文献３】特開平１１−１４７５４０号公報
【特許文献４】特開２００１−２４７１３０号公報
【特許文献５】特開２０１１−１７３６１７号公報
【特許文献６】実用新案登録第３１２５７１８号公報
【考案の開示】
【考案が解決しようとする課題】
【０００９】  このように従来公知のいずれの往復封筒は、再利用するには汚損、破損が多く短命であり且つ機能喪失に陥り利便性に大きな問題が存在する。
そこで、本考案は、安価なシンプルな構成で余計な作業をすることなく、しかも汚損や破損を皆無にして、ワンタッチで通常郵送用の封筒に或いは返信用封筒に変身させて多数回再利用できることを可能にしたリサイクル封筒を提供する。
【課題を解決するための手段】
【００１０】  本考案は、前記した課題に適応する優れたリサイクル封筒でありその技術的特徴は、次の（１）〜（２）の通りである。
（１）、封筒の表面において、左上隅部に料金別納を表示すると共に、封筒の表面に受取人（宛先人）ラベル貼付部と封筒の表面又は裏面に差出人ラベル貼付部を設け、これら受取人ラベル貼付部及び差出人ラベル貼付部は、該受取人用のラベルと差出人用のラベルを貼り付ける剥離面部にし、前記各ラベルは、表面に当該人又は名称の郵便番号、住所、氏名又は名称を記載し、裏面には複数回の貼り付け剥離を繰り返し可能な再貼付粘着剤を塗布したラベルであることを特徴とするリサイクル封筒。
（２）、前記剥離面部は、前記受取人用のラベルと差出人用のラベルの保護部であり、封筒の基部紙に剥離剤のシリコーンをコーティングした面部分又は剥離シリコーンフィルムを貼った面部分であることを特徴とする前記（１）に記載のリサイクル封筒。【００１１】  本考案において前記再貼付粘着剤とは、好ましくは一度貼って剥がしたラベルをその後再び貼る用途向けの公知のアクリル系粘着剤である。
【考案の効果】
【００１２】  本考案の前記リサイクル封筒は安価なシンプルな構成で余計な作業をすることなく、しかも汚損や破損を皆無にして、ワンタッチで通常の郵送用の封筒に或いは返信用封筒に変身させて多数回再利用できることを可能にしたリサイクル封筒である。
即ち本考案は、１つの封筒で受取人はラベルを張り替えるだけで返送を希望する相手方へ郵送できる。また通常の郵送として受取人ラベル貼付部から自己の受取人用のラベルを剥がし差出人ラベル貼付部に貼り替え、受取人ラベル貼付部に任意の受取人用のラベルを貼って郵送できるリサイクル封筒のため、経費の大幅な削減を図ることができる。
これらのことにより例えば返送の為に、正面側の宛先用の表紙を２重に重ね返信の際１枚を切断するという面倒はない。また、展開し、展開図の外形に沿って切断および接着をする必要もない。さらに、一旦、展開し、表裏を逆にして折って接着する必要もない。さらにまた、受取人用の汚損・破損の嫌いがある透明袋を設置する必要もない等の多くの利便性に富み且つ耐久性も極めて高い封筒である。
また毎回の郵送の都度に、料金別納の切手代又は切手を窓口に提出すれば、左上隅部への料金別納の表示を継続して利用できるため、料金別納の表示部はそのままで変更は不要である。
また本考案の封筒は、往復返信用に限らず、前記のように任意の受取人用のラベルと差出人用のラベルを作成しておけば任意の相手への通常の郵送封筒に再利用可能でありその利用範囲ははかり知れない。
【図面の簡単な説明】
【００１３】
【図１】本考案のリサイクル封筒の実施例１を示す往復封筒のレイアウト説明図であり、（１）は往復封筒の表面の説明図で（２）は往復封筒の裏面の説明図である。
【図２】本考案のリサイクル封筒の実施例２を示す表面のレイアウト説明図であり、（１）は裏面のレイアウト説明図である。
【図３】特許文献４に記載の図１である。
【図４】特許文献５に記載の図１である。
【図５】特許文献６に記載の図１である。
【考案を実施するための態様】
【００１４】
【実施例１】
【００１５】  本例のリサイクル封筒は図１に示し、その表面に受取人と差出人の表示をする封筒である。本例のリサイクル封筒１００は表面１０１において、左上隅部に料金別納１０２を表示すると共に、受取人ラベル貼付部１０３とその下方右隅に差出人ラベル貼付部１０４を設けてある。
これら受取人ラベル貼付部１０３及び差出人ラベル貼付部１０４は、往復封筒にする場合、該受取人用のラベル１０５と差出人用のラベル１０６を入れ替え可能に貼り付ける剥離面部２０１，２０２にしてある。通常の郵送封筒にする場合は、同一本人の差出人ラベルと任意の人の受取人用のラベルを多数用意しておくと良い。
前記剥離面部２０１，２０２は、ラベルの保護部であり、封筒の基部紙に剥離剤のシリコーンをコーティングした部分である。
前記各ラベル１０５，１０６は、受取人ラベル貼付部１０３及び差出人ラベル貼付部１０４の何れに貼り付けても良いように、表面に当該人又は名称の郵便番号、住所、氏名又は名称を記載し、裏面には前記剥離面部に複数回の貼り付け剥離を繰り返し可能な再貼付粘着剤３０１，３０２を塗布したラベルである。
前記再貼付粘着剤は、一度貼って剥がしたラベルをその後再び貼る用途向けのアクリル系粘着剤である。
これで毎回の郵送の都度に、料金別納の切手代又は切手を窓口に提出すれば郵送を完了する。右上隅部への料金別納の表示は継続して利用できるため、そのままで変更は不要である。
【実施例２】
【００１７】  図２の（１）と（２）に示す本例のリサイクル封筒１００は、その表面１０１に受取人の表示（１）と裏面に差出人の表示（２）をする封筒である。
本例のリサイクル封筒１００は、表面１０１において、左上隅部に料金別納１０２を表示すると共に、受取人ラベル貼付部１０３と裏面１１０の下方右隅に差出人ラベル貼付部１０４を設けてある。
これら受取人ラベル貼付部１０３及び差出人ラベル貼付部１０４は、往復封筒にする場合、該受取人用のラベル１０５と差出人用のラベル１０６を入れ替え可能に貼り付ける剥離面部２０１，２０２にしてある。通常の郵送封筒にする場合は、同一本人の差出人ラベルと任意の人の受取人用のラベルを多数用意しておくと良い。
前記剥離面部２０１，２０２は、ラベルの保護部であり、封筒の基部紙に剥離剤のシリコーンをコーティングした部分である。
前記各ラベル１０５，１０６は、受取人ラベル貼付部及び差出人ラベル貼付部の何れに貼り付けても良いように、表面に当該人又は名称の郵便番号、住所、氏名又は名称を記載し、裏面には前記剥離面部２０１，２０２に複数回の貼り付け剥離を繰り返し可能な再貼付粘着剤３０１，３０２を塗布したラベルである。
前記再貼付粘着剤３０１，３０２は、一度貼って剥がしたラベルをその後再び貼る用途向けのアクリル系粘着剤である。
これで毎回の郵送の都度に、料金別納の切手代又は切手を窓口に提出すれば郵送を完了する右上隅部への料金別納の表示は継続して利用できるため、そのままで変更は不要である。【００１９】  尚、開封後の再使用の際は、開封部の封止にはホッチキス止めや両面テープの内張り、セロテープでの閉塞、また開封部を広幅にして再度の開封部を作成してもよい。
また実施例２に示すように開封部には折りこみ封止蓋６００の裏面の貼り付け面に前記のような再貼付粘着剤６０１を塗布し、この蓋の被貼り付け面に前記アクリル系再貼付粘着剤シート６０２を貼って再度の封止と開封を可能にしてもよい。実施例１に於いても同様である。
【産業上の利用可能性】
【００２０】  本考案のリサイクル封筒は前述のように極めてシンプルな構成によりしかもワンタッチでのラベル入れ替えで差出人と受取人を変更して繰り返し郵送の往復封筒に或いは再度のリサイクル封筒にする等々、利便性に優れた作用効果を呈する為、一般家庭は勿論、各種の郵送業界に貢献すること多大なものである。
【符号の説明】
【００２１】  １００：リサイクル封筒
１０１：封筒の表面
１１０：封筒の裏面
１０３：受取人ラベル貼付部
１０４：差出人ラベル貼付部
１０５：受取人用のラベル
１０６：差出人用のラベル
２０１，２０２：剥離面部
３０１，３０２：再貼付粘着剤面
【図１】
0003227477.tif 000003
【図２】
0003227477.tif 000004
【図３】
0003227477.tif 000005
【図４】
0003227477.tif 000006
【図５】
0003227477.tif 000007